(57)【要約】  本発明はモバイル端末に関し、該モバイル端末は、モバイル端末（２）のアセンブル状態でモバイル端末ハウジング（８）の開口（６）を実質的に塞ぐように構成され、開口（６）から取り外されたとき、モバイル端末（２）の内部（１０）に開口（６）を通してアクセスさせるように構成された蓋ユニット（４）を有し、モバイル端末蓋ユニット（４）はモバイル端末（２）の少なくとも１つの機能を制御する少なくとも１つのキー装置（１２、１８）を有する。【選択図】  図１
2013538388.tif 000002
【特許請求の範囲】
【請求項１】
モバイル端末であって、
前記モバイル端末のアセンブル状態でモバイル端末ハウジングの開口を実質的に塞ぐように構成され、前記開口から取り外されたとき、前記モバイル端末の内部に前記開口を通してアクセスさせるように構成された蓋ユニットを有し、
前記モバイル端末蓋ユニットは前記モバイル端末の少なくとも１つの機能を制御する少なくとも１つのキー装置を有することを特徴とする、モバイル端末。
【請求項２】
前記蓋ユニットは、前記モバイル端末のアセンブル状態において、前記開口に少なくとも部分的に挿入されている、請求項１に記載のモバイル端末。
【請求項３】
前記キー装置は物理的キーを含む、請求項１に記載のモバイル端末。
【請求項４】
前記蓋ユニットは蓋を有し、前記物理的キーの少なくとも一部は前記蓋に対して可動に構成される、請求項３に記載のモバイル端末。
【請求項５】
前記物理的キーの動きは検出スイッチに影響するように構成された、請求項４に記載のモバイル端末。
【請求項６】
前記検出スイッチは前記蓋ユニット内に配置される、請求項５に記載のモバイル端末。
【請求項７】
前記検出スイッチは前記蓋ユニット内に配置されたＰＣＢ又はＦＰＣ上に配置される、請求項６に記載のモバイル端末。
【請求項８】
前記検出スイッチは前記モバイル端末の内部に配置される、請求項５に記載のモバイル端末。
【請求項９】
前記検出スイッチは前記モバイル端末の内部に配置されたＰＣＢ又はＦＰＣ上に配置される、請求項８に記載のモバイル端末。
【請求項１０】
前記物理的キーの動きは抵抗型タッチセンサに影響するように構成された、請求項４に記載のモバイル端末。
【請求項１１】
前記抵抗型タッチセンサは抵抗型タッチパネルである、請求項１０に記載のモバイル端末。
【請求項１２】
前記抵抗型タッチセンサは前記蓋ユニット内に配置される、請求項１０に記載のモバイル端末。
【請求項１３】
前記抵抗型タッチセンサは、前記モバイル端末の内部に配置されたＰＣＢ又はＦＰＣに接続された、請求項１２に記載のモバイル端末。
【請求項１４】
前記物理的キーは容量で構成され、前記物理的キーの動きは容量型タッチセンサに影響を与えるように構成された、請求項４に記載のモバイル端末。
【請求項１５】
前記容量型タッチセンサは容量型タッチパネルである、請求項１４に記載のモバイル端末。
【請求項１６】
前記容量型タッチセンサは前記蓋ユニット内に配置される、請求項１４に記載のモバイル端末。
【請求項１７】
前記容量型タッチセンサは、前記蓋ユニットの前記モバイル端末の内部に向いた側に配置された、請求項１４に記載のモバイル端末。
【請求項１８】
前記容量型タッチセンサは、前記蓋ユニットの前記モバイル端末の外部に向いた側に配置された、請求項１４に記載のモバイル端末。
【請求項１９】
前記容量型タッチセンサは、前記モバイル端末の内部に配置されたＰＣＢ又はＦＰＣに接続された、請求項１４に記載のモバイル端末。
【請求項２０】
前記容量型タッチセンサは前記モバイル端末の主電気基板に接続された、請求項１９に記載のモバイル端末。
【請求項２１】
前記キー装置は仮想キーを含む、請求項１に記載のモバイル端末。
【請求項２２】
前記仮想キーは容量型タッチセンサの少なくとも一部に構成された、請求項２１に記載のモバイル端末。
【請求項２３】
前記容量型タッチセンサは容量型タッチパネルである、請求項２２に記載のモバイル端末。
【請求項２４】
前記容量型タッチセンサは前記蓋ユニット内に配置される、請求項２２に記載のモバイル端末。
【請求項２５】
前記容量型タッチセンサは、前記蓋ユニットの前記モバイル端末の内部に向いた側に配置された、請求項２４に記載のモバイル端末。
【請求項２６】
前記容量型タッチセンサは、前記蓋ユニットの前記モバイル端末の外部に向いた側に配置された、請求項２４に記載のモバイル端末。
【請求項２７】
前記容量型タッチセンサは、前記モバイル端末の内部に配置されたＰＣＢ又はＦＰＣに接続された、請求項２２に記載のモバイル端末。
【請求項２８】
前記容量型タッチセンサは前記モバイル端末の主電気基板に接続された、請求項２７に記載のモバイル端末。
【請求項２９】
前記仮想キーは赤外線センサを有する、請求項２１に記載のモバイル端末。
【請求項３０】
前記赤外線センサは赤外線タッチセンサである、請求項２９に記載のモバイル端末。
【請求項３１】
前記蓋ユニットは前記モバイル端末上に取り外し自在に構成された、請求項１に記載のモバイル端末。
【請求項３２】
前記蓋ユニットは前記モバイル端末上に旋回自在に又はスライド自在に構成された、請求項１に記載のモバイル端末。
【発明の詳細な説明】
【技術分野】
【０００１】
本発明は、モバイル端末であって、アセンブル状態でモバイル端末ハウジングの開口を実質的に塞ぐように構成され、その開口から取り外されたとき、そのモバイル端末の内部にその開口を通してアクセスさせるように構成された蓋ユニットを有するモバイル端末に関する。
【背景技術】
【０００２】
モバイル端末は、例えば、携帯電話、モバイルユーザ機器、パーソナルデジタルアシスタント、モバイルコンピュータ、タブレットコンピュータ、ノートブックコンピュータ、ラップトップコンピュータ等であるが、通常は、バッテリー、ＳＩＭカード、メモリカード等のコンポーネント部を有する。このコンポーネント部は、モバイル端末の外側の環境には粒子や湿気があるため、その環境から使用中に保護しなければならない。また、同時に、交換目的等のために、モバイル端末の外側から容易にアクセスできなければならない。
【０００３】
モバイル端末内部のメモリカード等のコンポーネント部を保護し、かつ容易にアクセスできるようにするため、そのコンポーネント部用のモバイル端末ハウジングのアクセス開口をカバーする取り外し可能な蓋がモバイル端末に設けられる。モバイル端末が、非常にほこりが多い及び／又は湿気が多い環境で用いられる場合、ほこり及び／又は湿気がアクセス開口を通してモバイル端末ハウジングの内部に侵入しないようにして、使用中にモバイル端末のハウジングの内部をさらに保護するため、モバイル端末ハウジングと蓋との間にはほこり及び／又は湿気の侵入を防ぐシールを施す。かかるシールは、モバイル端末のアセンブル状態において、アクセス開口をカバーし、アクセス開口のエッジに沿ってモバイル端末ハウジングの外面で途切れるゴム製の蓋を設けることにより、構成される。
【発明の概要】
【０００４】
本発明の目的は、モバイル端末ハウジングの防水を改善したモバイル端末を、すなわちモバイル端末ハウジングの外側からモバイル端末の内側に入る湿気に対する保護を改善したモバイル端末を提供することである。
【０００５】
本目的は、モバイル端末であって、前記モバイル端末のアセンブル状態でモバイル端末ハウジングの開口を実質的に塞ぐように構成され、前記開口から取り外されたとき、前記モバイル端末の内部に前記開口を通してアクセスさせるように構成された蓋ユニットを有し、前記モバイル端末蓋ユニットは前記モバイル端末の少なくとも１つの機能を制御する少なくとも１つのキー装置をさらに有するモバイル端末を構成することにより達成される。
【０００６】
モバイル端末蓋ユニットにキー装置を構成し、キー装置がモバイル端末の機能を制御するように構成することにより、モバイル端末の機能を制御するように構成されたキー装置用の、モバイル端末ハウジングの開口の数を減らすことができる。蓋をする開口とは別の開口を設けるキー装置の後者のタイプの機能は、前記蓋ユニットと同じ開口に設けられたキー装置の後者のタイプの機能により代替できるからである。モバイル端末ハウジングの開口の数を減らすことにより、湿気がモバイル端末の内部に入ることを防ぐためにシールしなければならない開口の数が減り、モバイル端末ハウジングの防水が改善される。
【０００７】
本発明によるモバイル端末ハウジングの防水を改善する他の効果は、モバイル端末ハウジングに必要な開口の数を減らすことにより、モバイル端末ハウジングの設計の自由度が大きくなる。モバイル端末の外面の輪郭に対し影響するモバイル端末のパーツの数が減り、モバイル端末ハウジングがその設計の自由度に対して有する設計制約が小さくなるからである。
【０００８】
本発明によるモバイル端末ハウジングの防水を改善するさらに他の効果は、モバイル端末ハウジングに必要な開口の数を減らすことにより、外部環境からモバイル端末の内部をシーリングするコストが低下することである。
【０００９】
本発明によるモバイル端末ハウジングの防水を改善するさらに他の効果は、モバイル端末ハウジングに必要な開口の数を減らすことにより、モバイル端末ハウジングの強度に対する開口のインパクトを低減することである。
【００１０】
また、本発明により、モバイル端末ハウジングの開口をシーリングするコストを下げられる。
【００１１】
本発明によると、蓋をする開口とは別の開口に設けたすべてのキー装置を無くすことが可能である。それにより、モバイル端末ハウジングの防水を改善し、同時に、モバイル端末の外面の輪郭を最小主義の設計をすることができる。この場合、モバイル端末ハウジングは、湿気がモバイル端末の内部に入るのを防止するためにシールすればならない開口を１つだけ有し、その開口はモバイル端末ハウジングの好きな位置に配置できるからである。外部からアクセスできるようにする必要がある交換可能バッテリー及び／又は交換効能ＳＩＭカード及び／又は交換可能メモリカードなどのモバイル端末のすべてのパーツが、モバイル端末ハウジングのまったく同一の開口を通してアクセスできるような寸法で、前記開口を構成することも可能である。同一の蓋ユニットは、開口から取り除かれたとき、モバイル端末の内部に開口からアクセスでき、開口部がモバイル端末のアセンブル状態では前記蓋ユニットにより実質的に塞がれるように構成できる。前記モバイル端末蓋ユニットは、モバイル端末の少なくとも１つの機能を制御する、例えばモバイル端末の電源を入れる機能を制御する１つのキー装置のみを有し、電源を切るのは、例えばモバイル端末上の画像出力装置として用いる容量型タッチパネルの少なくとも一部の仮想キーを用いることにより、制御できる。前記単一のキー装置が、蓋ユニット全体に延在する必要がないタイプであり、前記単一の蓋ユニット上に防水配置できる場合、及び他のマイクロホンやスピーカなどの装置もモバイル端末のハウジングや蓋ユニットなどに防水配置できる場合、モバイル端末のパーツが可動的に構成されているモバイル端末ハウジングの１つの開口のみがシールされ、それによりモバイル端末ハウジングの防水が大幅に改善される。
【００１２】
モバイル端末のアセンブル状態においてモバイル端末ハウジングの開口を実質的に塞ぐように構成されたモバイル端末ハウジングと蓋ユニットとの間のシーリングは、モバイル端末ハウジングに組み込まれたシーリング手段、及び／又は蓋ユニットに組み込まれたシーリング手段、及び／又は別のシーリング手段により実施される。
【００１３】
モバイル端末蓋ユニットは、モバイル端末ハウジングに配置された少なくとも１つのコンポーネントパーツにアクセスさせ、モバイル端末ハウジングの外側の環境からコンポーネントパーツを保護し、モバイル端末の少なくとも１つの機能を制御するように構成されている。
【００１４】
モバイル端末のキーにより制御される機能は、例えば、モバイル端末のスピーカ音量及び／又はマイクロホン音量及び／又は電源オン及び／又は電源オフ、カメラ機能などがある。
【００１５】
モバイル端末のアセンブル状態においてモバイル端末の内部に水その他の液体などの湿気が入ることを防ぐのに加えて、蓋ユニットは、モバイル端末の内部にほこり粒子その他の固体や気体が入ることを防ぐこともできる。
【００１６】
本発明の一実施形態によると、キー装置は物理的キーである。
【００１７】
本発明の他の一実施形態によると、キー装置は仮想キーである。
【００１８】
本発明のさらに別の効果は、以下の詳細な説明から明らかになるだろう。
【図面の簡単な説明】
【００１９】
添付した図面は本発明の実施形態を明確にして説明することを意図している。
【図１】アセンブル状態のモバイル端末を示す図である。
【図２】本発明の一実施形態によるメカニカルソリューションを示す図である。
【図３】図２に示した蓋ユニットの実施形態を示す図である。
【図４】蓋ユニットの他の一実施形態を示す展開図である。
【図５】蓋ユニットの他の一実施形態を示す展開図である。
【図６】蓋ユニットの他の一実施形態を示す展開図である。
【発明を実施するための形態】
【００２０】
図１は、アセンブル状態のモバイル端末２を示す。モバイル端末２は、そのアセンブル状態においてモバイル端末ハウジング８の開口６を実質的に塞ぐように構成され、その開口６から取り外されたとき、モバイル端末２の内部１０に開口６を通してアクセスさせる蓋ユニット４を有する。モバイル端末蓋ユニット４は、モバイル端末２の機能を制御するキー装置１２を少なくとも１つ有する。
【００２１】
図から分かるように、蓋ユニット４は、モバイル端末２のアセンブル状態において開口６に少なくとも部分的に挿入される。
【００２２】
蓋ユニット４は、例えば、モバイル端末２に着脱可能に構成され、ヒンジ等を用いてモバイル端末２に旋回可能に構成され、又はスライドトレイ状等にモバイル端末２にスライド可能に取り付けられている。
【００２３】
上記のようにモバイル端末２に蓋ユニット４を設けることにより、モバイル端末２のハウジング８の防水を改善し、すなわちモバイル端末ハウジング８の外側からモバイル端末２の内部に入る湿気を防ぐとの目的が達成される。
【００２４】
モバイル端末蓋ユニット４にキー装置１２を構成し、キー装置１２がモバイル端末２の機能を制御するように構成することにより、モバイル端末の機能を制御するように構成されたキー装置用の、モバイル端末ハウジング８の開口の数を減らすことができる。蓋をする開口とは別の開口を設けるキー装置の後者のタイプの機能は、前記蓋ユニット４と同じ開口６に設けられたキー装置の後者のタイプの機能により代替できるからである。
【００２５】
モバイル端末ハウジング８の開口の数を減らすことにより、湿気がモバイル端末２の内部１０に入ることを防ぐためにシールしなければならない開口の数が減り、モバイル端末ハウジングの防水が改善される。
【００２６】
本発明によるモバイル端末ハウジング８の防水を改良する他の効果は、モバイル端末ハウジング８に必要な開口の数を減らすことにより、モバイル端末ハウジング８の設計の自由度が高くなることである。モバイル端末２の外面１４の輪郭に影響を与えるモバイル端末２のパーツ４の数が減るので、モバイル端末ハウジング８の開口がモバイル端末８の設計の自由度に与える設計制約が減るからである。
【００２７】
本発明によるモバイル端末ハウジング８の防水改良の別の効果は、モバイル端末ハウジング８に必要な開口の数を減らすことにより、モバイル端末２の内部１０を外部環境１６からシーリングするコストが低下することである。
【００２８】
本発明によるモバイル端末ハウジング８の防水改良のさらに別の効果は、モバイル端末ハウジング８に必要な開口の数を減らすことにより、モバイル端末ハウジング８の強度に対する開口のインパクトが小さくなることである。
【００２９】
また、本発明により、モバイル端末ハウジング８の開口６をシーリングするコストを下げられる。
【００３０】
図１に示した実施形態において、２つのキー装置１２、１８が蓋ユニット４上に示されている。
【００３１】
本発明によると、蓋をする開口６とは別の開口に設けたすべてのキー装置を無くすことが可能である。それにより、モバイル端末ハウジング８の防水を改善し、同時に、モバイル端末２の外面１４の輪郭を最小主義の設計をすることができる。この場合、モバイル端末ハウジング８は、湿気がモバイル端末２の内部１０に入るのを防止するためにシールすればならない開口６を１つだけ有し、その開口６はモバイル端末ハウジング８の好きな位置に配置できるからである。外部１６からアクセスできるようにする必要がある交換可能バッテリー及び／又は交換効能ＳＩＭカード及び／又は交換可能メモリカードなどのモバイル端末２のすべてのパーツが、モバイル端末ハウジング８のまったく同一の開口６を通してアクセスできるような寸法で、前記開口６を構成することも可能である。同一の蓋ユニット４は、開口６から取り除かれたとき、モバイル端末２の内部１０に開口６からアクセスでき、開口部６がモバイル端末２のアセンブル状態では前記蓋ユニット４により実質的に塞がれるように構成できる。前記モバイル端末蓋ユニット４は、モバイル端末２の少なくとも１つの機能を制御する、例えばモバイル端末の電源を入れる機能を制御する１つのキー装置１２のみを有し、電源を切るのは、例えばモバイル端末２上の画像出力装置として用いる容量型タッチパネル２２の少なくとも一部の仮想キー２０を用いることにより、制御できる。前記単一のキー装置１２が、蓋ユニット４全体に延在する必要がないタイプであり、前記単一の蓋ユニット４上に防水配置できる場合、及び他のマイクロホンやスピーカなどの装置もモバイル端末２のハウジングや蓋ユニットなどに防水配置できる場合、モバイル端末２のパーツ４が可動的に構成されているモバイル端末ハウジング８の１つの開口６のみがシールされ、それによりモバイル端末ハウジング８の防水が大幅に改善される。
【００３２】
モバイル端末２のアセンブル状態においてモバイル端末ハウジング８の開口６を実質的に塞ぐように構成されたモバイル端末ハウジング８と蓋ユニット４との間のシーリングは、シーリング手段２３により実施される。このシーリング手段２３は、モバイル端末ハウジング及び／又は蓋ユニットに組み込まれ、及び／又は別のシーリング手段であってもよい。
【００３３】
モバイル端末蓋ユニット４は、モバイル端末ハウジング８２に配置された少なくとも１つのコンポーネントパーツにアクセスさせ、モバイル端末ハウジング８の外側の環境１６からコンポーネントパーツを保護し、モバイル端末２の少なくとも１つの機能を制御するように構成されている。
【００３４】
モバイル端末のキーにより制御される機能は、例えば、モバイル端末のスピーカ音量及び／又はマイクロホン音量及び／又は電源オン及び／又は電源オフ、カメラ機能などがある。
【００３５】
モバイル端末２のアセンブル状態においてモバイル端末２の内部に水その他の液体などの湿気が入ることを防ぐのに加えて、蓋ユニット４は、モバイル端末２の内部１０にほこり粒子その他の固体や気体が入ることを防ぐこともできる。
【００３６】
図２は、本発明の一実施形態による機械的ソリューションを示し、モバイル端末２の内部１０が露出しており、本実施形態によると、キー装置１２、１８は物理的キー２４、２６を有する。この実施形態によると、検出スイッチ２８、３０はキー２４、２６の動きを検出するように構成されている。この実施形態によると、蓋ユニット４は蓋３２を有し、物理的キー２４、２６の少なくとも一部は蓋３２に対して可動に構成されている。
【００３７】
図３は、他の角度からの、図２に示した蓋ユニット４の実施形態を示す図である。図から分かるように、蓋ユニット４は、蓋３２と、それに対して可動に構成された少なくとも１つの物理的キー２４、２６とを有する。キー２４、２６が蓋３２から離れないように停止部材３４が配置されている。
【００３８】
蓋３２と少なくとも１つのキー２４、２６は、組み立てられて一体となるが、少なくとも１つのキーは蓋３２に対して可動である。プリント回路基盤（ＰＣＢ）やフレキシブルプリント回路（ＦＰＣ）がはんだスイッチでこのユニットに付加される。はんだスイッチは、モバイル端末のアセンブル状態においてモバイル端末内部の対応するパーツに接続される。任意的に、プリント回路基板（ＰＣＢ）やフレキシブルプリント回路（ＦＰＣ）は、モバイル端末の内部に配置してもよい。異なるタイプの検出スイッチを使ってもよい。キー２４、２６は異なるタイプであってもよく、例えば、ハードトップをシリコンゴムその他の柔らかい材料中のキートップとのり付けしたもの、又はバックサイドを有するハードトップを複数のシングルキーの間に取り付けたもの、又はユニットをのり付け又は超音波溶接して一体としたものなどである。
【００３９】
上記の通り、前記少なくとも１つの物理的キー２４、２６の動きは、検出スイッチに影響するように構成されている。検出スイッチは蓋ユニット４中に配置され、蓋ユニット４に配置されたＰＣＢ又はＦＰＣ上に配置される。任意的に、検出スイッチは、モバイル端末の内部に配置され、モバイル端末の内部に配置されたＰＣＢ又はＦＰＣ上に配置されてもよい。
【００４０】
図４は、蓋ユニットの他の実施形態を示す展開図であり、この実施形態では、キー装置１２、１８は物理的キー２４、２６を有し、少なくとも１つの物理的キー２４、２６の動きは抵抗型タッチセンサ３４に影響するように構成されている。
【００４１】
抵抗型タッチセンサ３４は２つのレイヤを有し、これらのレイヤはレストポジションでは互いに接触していない。外側レイヤはインジウムスズ酸化物（ＩＴＯ）などの導電体で内側にコーティングされたフレキシブルレイヤであり、内側レイヤはＩＴＯなどの導電体で外側表面をコーティングしたガラスなどの支持レイヤである。外側レイヤと内側レイヤの間には、マイカやシリカなどの非導電性分離「ドット」が構成される。外側フレキシブルレイヤが内側レイヤに対して押されると、その結果として生じる電圧が２以上の方向で測定できる。この電圧を最初の電圧と比較することにより、外側レイヤが押された点を計算できる。
【００４２】
抵抗型タッチセンサ３４は、抵抗型タッチパネルであり、蓋ユニット４内に構成される。抵抗型タッチセンサ３４は、モバイル端末の内部に配置されたＰＣＢ又はＦＰＣに接続される。
【００４３】
図３に示した実施形態と比較して、図３に示した検出スイッチが抵抗型タッチセンサ３４に交換されている。抵抗型タッチセンサに半球形の空洞（dome）を加えることにより、この実施形態にキーストローク感を組み込んでもよい。
【００４４】
図５は、蓋ユニットの他の実施形態を示す展開図であり、この実施形態では、キー装置１２、１８は物理的キー２４、２６を有し、少なくとも１つの物理的キー２４、２６には容量３６、３８が配置され、前記物理的キー２４、２６の動きは、容量型タッチセンサ４０に影響するように構成されている。
【００４５】
容量型タッチセンサ４０は、片側に導電コーティングされたガラスシートなどの支持部を有する。支持部の周りの回路パターンは、支持部表面の電荷を設定する。画面に触ったとき、又はほぼ接触したとき、この電荷は、それに電気的変化（electrical disturbance）を生じる指その他の手段により変化する。
【００４６】
容量型タッチセンサ４０は、容量型タッチパネルであり、蓋ユニット４内に構成される。
【００４７】
容量型タッチセンサ４０は、蓋ユニット４のモバイル端末の内部に向いた側に、又は蓋ユニット４のモバイル端末の外部に向いた側に配置され、又はその間に配置される。容量型タッチセンサ４０は、モバイル端末の内部に配置されたＰＣＢ又はＦＰＣに接続され、モバイル端末の主電気基板にさらに接続される。
【００４８】
図３に示した実施形態と比較して、図３に示した検出スイッチが容量型タッチセンサ４０に交換されている。容量型タッチセンサに半球形の空洞（dome）を加えることにより、この実施形態にキーストローク感を組み込んでもよい。
【００４９】
図６は、蓋ユニット４の他の実施形態を示す展開図であり、前記キー装置１２は仮想キー４２を有する。仮想キー４２は、容量型タッチセンサ４４の少なくとも一部に構成される。ここで、容量型タッチセンサ４４は容量型タッチパネルであってもよい。
【００５０】
容量型タッチセンサ４４は、蓋ユニット４中に配置され、蓋ユニット４のモバイル端末の内部に向いた側に、又は蓋ユニット４のモバイル端末の外部に向いた側に配置される。
【００５１】
容量型タッチセンサ４４は、モバイル端末の内部に配置されたＰＣＢ又はＦＰＣに接続され、モバイル端末の主電気基板にさらに接続される。
【００５２】
容量型タッチセンサ４４をアクティブ化するのに指などを用いるとき、容量型タッチセンサをアクティブ化するのに蓋ユニット４における機械的動きが不要なので、このソリューションは蓋ユニット４に可動パーツをまったく必要としない。容量型タッチセンサ４４、蓋のどの側に取り付けても良いし、蓋ユニット４内にモールドしても、すなわちプラスチック材料でオーバーモールドしてもよい。
【００５３】
また、他のタイプの機械的及び／又は仮想キーであってもよい。仮想キーは、例えば赤外線センサを有し、ここでその赤外線センサは赤外線タッチタッチセンサであってもよい。
【００５４】
本発明は、上記の実施形態には限定されず、添付した独立クレームの範囲にあるすべての実施形態を含む。
【図１】
2013538388.tif 000003
【図２】
2013538388.tif 000004
【図３】
2013538388.tif 000005
【図４】
2013538388.tif 000006
【図５】
2013538388.tif 000007
【図６】
2013538388.tif 000008
【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
モバイル端末であって、
前記モバイル端末のアセンブル状態でモバイル端末ハウジングの開口を実質的に塞ぐように構成され、前記開口から取り外されたとき、前記モバイル端末の内部に前記開口を通してアクセスさせるように構成された蓋ユニットを有し、
前記モバイル端末蓋ユニットは前記モバイル端末の少なくとも１つの機能を制御する少なくとも１つのキー装置を有する、モバイル端末。
【請求項２】
前記蓋ユニットは、前記モバイル端末のアセンブル状態において、前記開口に少なくとも部分的に挿入されている、請求項１に記載のモバイル端末。
【請求項３】
前記キー装置は物理的キーを含む、請求項１又は２に記載のモバイル端末。
【請求項４】
前記蓋ユニットは蓋を有し、前記物理的キーの少なくとも一部は前記蓋に対して可動に構成される、請求項３に記載のモバイル端末。
【請求項５】
前記物理的キーの動きは検出スイッチに影響するように構成された、請求項４に記載のモバイル端末。
【請求項６】
前記検出スイッチは前記蓋ユニット内に配置される、請求項５に記載のモバイル端末。
【請求項７】
前記検出スイッチは前記蓋ユニット内に配置されたＰＣＢ又はＦＰＣ上に配置される、請求項６に記載のモバイル端末。
【請求項８】
前記検出スイッチは前記モバイル端末の内部に配置される、請求項５に記載のモバイル端末。
【請求項９】
前記検出スイッチは前記モバイル端末の内部に配置されたＰＣＢ又はＦＰＣ上に配置される、請求項８に記載のモバイル端末。
【請求項１０】
前記物理的キーの動きは抵抗型タッチセンサに影響するように構成された、請求項４に記載のモバイル端末。
【請求項１１】
前記抵抗型タッチセンサは抵抗型タッチパネルである、請求項１０に記載のモバイル端末。
【請求項１２】
前記抵抗型タッチセンサは前記蓋ユニット内に配置される、請求項１０に記載のモバイル端末。
【請求項１３】
前記抵抗型タッチセンサは、前記モバイル端末の内部に配置されたＰＣＢ又はＦＰＣに接続された、請求項１２に記載のモバイル端末。
【請求項１４】
前記物理的キーは容量で構成され、前記物理的キーの動きは容量型タッチセンサに影響を与えるように構成された、請求項４に記載のモバイル端末。
【請求項１５】
前記容量型タッチセンサは容量型タッチパネルである、請求項１４に記載のモバイル端末。
【請求項１６】
前記容量型タッチセンサは前記蓋ユニット内に配置され、又は前記蓋ユニットの前記モバイル端末の内部に向いた側に配置され、又は前記蓋ユニットの前記モバイル端末の外部に向いた側に配置される、請求項１４に記載のモバイル端末。
【請求項１７】
前記キー装置は仮想キーを含む、請求項１に記載のモバイル端末。
【請求項１８】
前記仮想キーは容量型タッチセンサの少なくとも一部に構成された、請求項１７に記載のモバイル端末。
【請求項１９】
前記容量型タッチセンサは容量型タッチパネルである、請求項１８に記載のモバイル端末。
【請求項２０】
前記容量型タッチセンサは前記蓋ユニット内に配置され、又は前記蓋ユニットの前記モバイル端末の内部に向いた側に配置され、又は前記蓋ユニットの前記モバイル端末の外部に向いた側に配置される、請求項１８に記載のモバイル端末。
【請求項２１】
前記容量型タッチセンサは、前記モバイル端末の内部に配置されたＰＣＢ又はＦＰＣに接続された、請求項１４又は１８に記載のモバイル端末。
【請求項２２】
前記容量型タッチセンサは前記モバイル端末の主電気基板に接続された、請求項２１に記載のモバイル端末。
【請求項２３】
前記仮想キーは赤外線センサを有する、請求項１７に記載のモバイル端末。
【請求項２４】
前記赤外線センサは赤外線タッチセンサである、請求項２３に記載のモバイル端末。
【請求項２５】
前記蓋ユニットは前記モバイル端末上に取り外し自在に構成され、又は前記モバイル端末上に旋回自在に又はスライド自在に構成される、請求項１に記載のモバイル端末。
【国際調査報告】
2013538388.tif 000009
2013538388.tif 000010
2013538388.tif 000011